(57)【要約】【課題】フリッカの発生を抑制しつつクロストークを低減することが可能な映像表示システムを提供する。【解決手段】映像表示システムは、左眼用映像および右眼用映像等の複数の映像を時分割で切り換えて表示し、表示光として直線偏光を出射する液晶表示装置１と、液晶表示装置１における表示切り換えに同期して、開閉を切り換えるシャッター眼鏡６とを備える。シャッター眼鏡６は、液晶シャッター６０の光入射側にシャッター入射側偏光板６０Ａ、光出射側にシャッター出射側偏光板６０Ｂをそれぞれ有するものであり、シャッター入射側偏光板６０Ａの偏光度がシャッター出射側偏光板６０Ｂの偏光度よりも低くなっている。シャッター入射側偏光板６０Ａの偏光度に対して、トレードオフの関係にあるフリッカおよびクロストークの発生の程度を最適化し易くなる。【選択図】図２
2011146797.tif 000002
【特許請求の範囲】
【請求項１】
複数の映像を時分割で切り換えて表示し、表示光として直線偏光を出射する映像表示装置と、
前記映像表示装置における映像の切り換えに同期して、入射光を透過させる開動作と遮断する閉動作とを切り換えるシャッター眼鏡とを備え、
前記シャッター眼鏡は、
液晶素子を含むと共に、前記液晶素子の光入射側にシャッター入射側偏光板、光出射側にシャッター出射側偏光板をそれぞれ有し、前記シャッター入射側偏光板の偏光度が、前記シャッター出射側偏光板の偏光度よりも低いものである
映像表示システム。
【請求項２】
前記シャッター入射側偏光板の偏光度は０．２００以上０．９００以下であり、前記シャッター出射側偏光板の偏光度は０．９９８以上である
請求項１に記載の映像表示システム。
【請求項３】
前記シャッター入射側偏光板と前記シャッター出射側偏光板との間に位相差板が設けられている
請求項１に記載の映像表示システム。
【請求項４】
前記複数の映像は、互いに視差を有する左眼用映像および右眼用映像であり、
前記シャッター眼鏡は、左眼用液晶素子と右眼用液晶素子とを有し、前記左眼用映像および前記右眼用映像の表示切り替えに同期して、前記左眼用液晶素子および前記右眼用液晶素子を交互に開閉させる
請求項１に記載の映像表示システム。
【発明の詳細な説明】
【技術分野】
【０００１】
本発明は、シャッター眼鏡を用いて映像表示を行う映像表示システムに関する。
【背景技術】
【０００２】
電子情報ディスプレイを用いた立体表示方式には多様な方式が存在するが、中でもシャッター眼鏡を用いた方式が注目されている。この方式では、液晶テレビ等の液晶ディスプレイ上に、左眼用および右眼用の視差画像を時分割に切り替えて表示すると共に、これに同期して左右の眼鏡の開閉を切り替え可能なシャッター眼鏡を用いて各視差画像をそれぞれ左眼および右眼へ向けて分離する。
【０００３】
ここで、シャッター眼鏡は、例えば電圧印加によって光透過率を制御可能な液晶素子を用いたものであり、この液晶素子の入射側（液晶ディスプレイ側）および出射側（観察者側）にはそれぞれ、偏光板が貼り付けられている。尚、このようなシャッター眼鏡において、直線偏光を利用する場合には、その入射側の偏光板の光軸（透過軸）と、液晶ディスプレイにおける出射側の偏光板の光軸（透過軸）とが互いに一致している必要がある。このようなシステムにおいて、観察者（視聴者）がシャッター眼鏡をかけてディスプレイ上の表示画像を観察することで、立体視が可能となる。
【０００４】
ところが、シャッター眼鏡を用いた立体映像表示システムでは、映像観察を行う環境下において、例えば室内の照明光等と干渉を起こし、フリッカが観察される場合がある。特に、インバータを使用していない低周波駆動の蛍光灯、例えば５０Ｈｚ駆動（光出力は１００Ｈｚ）の蛍光灯の下において、６０Ｈｚ駆動のシャッター眼鏡を使用した場合、干渉により約４０Ｈｚもの顕著なフリッカが見えてしまう。これは観察者にとって非常に不快であり、疲労を誘引するだけでなく、知覚を通じてある種の発作を引き起こす蓋然性があるため、人間工学的な見地から懸念されている。
【０００５】
上記のようなフリッカは、シャッター眼鏡における入射側の偏光板を完全に除去することによって、軽減されることが知られている（例えば、特許文献１）。尚、この場合、液晶ディスプレイにおける出射側偏光板の光軸と、シャッター眼鏡における出射側の偏光板の光軸とが一致していれば、映像の見え方に影響が生じることはない。
【先行技術文献】
【特許文献】
【０００６】
【特許文献１】特開平８−３２７９６１号公報
【発明の概要】
【発明が解決しようとする課題】
【０００７】
しかしながら、上記のようにフリッカをなくすためにシャッター眼鏡における入射側偏光板を完全に除去してしまうと、観察者が頭を傾けた場合、液晶ディスプレイの出射側偏光板とシャッター眼鏡の出射側偏光板との光軸がずれてしまう。仮に光軸がずれた場合には、シャッター眼鏡におけるコントラストがその最大値からずれ（コントラストが低下し）、左右の視差画像間でクロストークが発生する。このようなクロストークが生じると、例えば映像が２重になって見える等、上記フリッカと同様、観察者に不快な印象を与えてしまう。
【０００８】
本発明はかかる問題点に鑑みてなされたもので、その目的は、フリッカの発生を抑制しつつクロストークを低減することが可能な映像表示システムを提供することにある。
【課題を解決するための手段】
【０００９】
本発明の映像表示システムは、複数の映像を時分割で切り換えて表示し、表示光として直線偏光を出射する映像表示装置と、映像表示装置における映像の切り換えに同期して、入射光を透過させる開動作と遮断する閉動作とを切り換えるシャッター眼鏡とを備える。シャッター眼鏡は、液晶素子を含むと共に、その液晶素子の光入射側にシャッター入射側偏光板、光出射側にシャッター出射側偏光板をそれぞれ有し、シャッター入射側偏光板の偏光度がシャッター出射側偏光板の偏光度よりも低くなっている。
【００１０】
本発明の映像表示システムでは、シャッター眼鏡において、シャッター入射側偏光板の偏光度がシャッター出射側偏光板の偏光度よりも低くなっている。ここで、映像観察時において、室内照明光等との干渉によりフリッカを生じることがあるが、このフリッカは、シャッター入射側偏光板を除去することによりなくすことも可能である。但し、このようにした場合、観察者がシャッター眼鏡をかけた状態で頭を傾けると、シャッター眼鏡のコントラストが低下し、複数の映像間においてクロストークを生じてしまう。ここで、フリッカの発生とクロストークの発生とは、シャッター入射側偏光板の偏光度に対して、互いにトレードオフの関係にある。シャッター眼鏡において、偏光度が出射側よりも入射側において低くなっていることにより、そのような関係にあるフリッカおよびクロストークの発生の程度が最適化し易くなる。
【発明の効果】
【００１１】
本発明の映像表示システムによれば、シャッター眼鏡において、シャッター入射側偏光板の偏光度がシャッター出射側偏光板の偏光度よりも低くなるようにしたので、観察映像においてフリッカの発生を抑制しつつクロストークを低減することが可能となる。またこれにより、観察者に不快感や疲労感を与えない高品質な映像表示（例えば立体映像表示）を実現することができる。
【図面の簡単な説明】
【００１２】
【図１】本発明の一実施の形態に係る映像表示システムの全体構成を表すブロック図である。
【図２】図１に示した液晶表示パネルおよびシャッター眼鏡の各面に設けられる偏光板の透過軸を説明するための模式図である。
【図３】図１に示した映像表示システムにおける立体映像表示動作の概要を表す模式図である。
【図４】映像光と室内照明光との干渉により生じるフリッカについて解析した図である。
【図５】シャッター開口ｄｕｔｙと照明の明暗比との関係を表した図である。
【図６】シャッター入射側偏光板のコントラストとフリッカとの関係を表した図である。
【図７】シャッター眼鏡の正立時および回転時（傾斜時）を説明するための模式図である。
【図８】クロストーク（平均値）および眼鏡コントラストの偏光度依存性を説明するための図である。
【図９】シャッター入射側偏光板のコントラストとクロストークとの関係を表した図である。
【図１０】フリッカおよびクロストークの許容の有無に関する主観評価をまとめた図である。
【図１１】本発明の変形例に係る映像表示システムにおけるマルチ映像表示動作の概要を表す模式図である。
【発明を実施するための形態】
【００１３】
以下、本発明の実施の形態について、図面を参照して詳細に説明する。なお、説明は以下の順序で行う。
１．実施の形態（立体映像表示システムにおいてシャッター入射側偏光板を低偏光度とした例）
２．変形例（上記シャッター眼鏡をマルチ映像表示システムに適用した例）
【００１４】
＜実施の形態＞
［映像表示システムの全体構成］
図１は、本発明の一実施の形態に係る映像表示システムのブロック構成を表すものである。この映像表示システムは、時分割駆動方式の立体映像表示システムであり、映像表示装置としての液晶表示装置１と、シャッター眼鏡６とを備えている。
【００１５】
（液晶表示装置１）
液晶表示装置１は、左右の視差を有する右眼用映像信号ＤＲおよび左眼用映像信号ＤＬからなる入力映像信号Ｄinに基づいて、映像表示を行うものである。この液晶表示装置１は、液晶表示パネル２、バックライト３、映像信号処理部４１、シャッター制御部４２、タイミング制御部４３、バックライト駆動部５０、データドライバ５１およびゲートドライバ５２を有している。
【００１６】
バックライト３は、液晶表示パネル２に対して光を照射する光源であり、例えばＬＥＤ（Light Emitting Diode）や、ＣＣＦＬ（Cold Cathode Fluorescent Lamp）等を含むものである。
【００１７】
液晶表示パネル２は、ゲートドライバ５２から供給される駆動信号およびデータドライバ５１から供給される映像電圧に基づいて、バックライト３からの照明光を変調することにより、入力映像信号Ｄinに基づく映像表示を行うものである。具体的には、詳細は後述するが、右眼用映像信号ＤＲに基づく右眼用映像と、左眼用映像信号ＤＬに基づく左眼用映像とを、時分割で交互に表示することにより、立体映像表示のための時分割駆動がなされるようになっている。本実施の形態では、この液晶表示パネル２が、直線偏光を使用して映像表示を行うものであり、その光入射面と光出射面にはそれぞれ、後述する直線偏光板が貼り合わせられている。
【００１８】
この液晶表示パネル２は、例えばＶＡ（Vertical Alignment）モードやＴＮ（Twisted Nematic）モードの液晶よりなる液晶層をＴＦＴ基板および対向基板で挟み込んだものであり、全体としてマトリクス状に配列された複数の画素２０を含んでいる。各画素２０は、ＴＦＴ（Thin Film Transistor；薄膜トランジスタ）素子を含み、駆動対象となる画素を線順次で選択するためのゲート線、選択画素に対して映像電圧を供給するためのデータ線および補助容量線等に接続されている。ＴＦＴ素子は、映像信号Ｄ１に基づく映像電圧を供給するためのスイッチング素子であり、例えばＭＯＳ−ＦＥＴ（Metal Oxide Semiconductor−Field Effect Transistor）よりなる。
【００１９】
映像信号処理部４１は、入力映像信号Ｄinに基づいて、右眼用映像信号ＤＲおよび左眼用映像信号ＤＬの出力順序（表示順序）の制御を行うことにより、映像信号Ｄ１を生成するものである。ここでは、１フレーム期間内において左眼用映像信号ＤＬと右眼用映像信号ＤＲとが交互に配列してなる映像信号Ｄ１を生成する。
【００２０】
シャッター制御部４２は、映像信号処理部４１による右眼用映像信号ＤＲおよび左眼用映像信号ＤＬの出力タイミングに対応するタイミング制御信号（制御信号ＣＴＬ）を、シャッター眼鏡６に出力するものである。この制御信号ＣＴＬは、図１に示したような無線信号（例えば赤外線信号等）であってもよいが、有線信号であってもよい。
【００２１】
タイミング制御部４３は、バックライト駆動部５０、ゲートドライバ５２およびデータドライバ５１の駆動タイミングを制御すると共に、映像信号処理部４１から供給される映像信号Ｄ１をデータドライバ５１へ供給するものである。
【００２２】
ゲートドライバ５２は、タイミング制御部４３によるタイミング制御に従って、液晶表示パネル２内の各画素２０を線順次駆動するものである。
【００２３】
データドライバ５１は、液晶表示パネル２の各画素２０へそれぞれ、タイミング制御部４３から供給される映像信号Ｄ１に基づく映像電圧を供給するものである。具体的には、映像信号Ｄ１に対してＤ／Ａ（デジタル／アナログ）変換を施すことにより、アナログ信号である映像信号（上記映像電圧）を生成し、各画素２０へ出力する。
【００２４】
バックライト駆動部５０は、タイミング制御部４３によるタイミング制御に従って、バックライト３の点灯動作（発光動作）を制御するものである。
【００２５】
（シャッター眼鏡６）
シャッター眼鏡６は、液晶表示装置１の観察者（視聴者）が用いることにより立体視を可能とするものである。このシャッター眼鏡６は、本発明における「シャッター機構」の一具体例に対応する左眼用レンズ６Ｌおよび右眼用レンズ６Ｒを有している。これらの左眼用レンズ６Ｌおよび右眼用レンズ６Ｒにはそれぞれ、例えば液晶シャッター（後述の液晶シャッター６０）が設けられている。液晶シャッターは、図示しない一対の電極間に、例えばＴＮモードやＳＴＮ（Super Twisted Nematic）モードの液晶を挟み込んだものであり、それらの一対の電極を通じて液晶に電圧を印加することにより入射光の透過率を制御するものである。この液晶シャッターにおける入射光を透過させる動作（開動作）および遮断する動作（閉動作）は、シャッター制御部４２から供給される制御信号ＣＴＬによって、時分割制御される。
【００２６】
具体的には、シャッター制御部４２が、左眼用映像および右眼用映像の表示切り換えに同期して、左眼用レンズ６Ｌおよび右眼用レンズ６Ｒの開状態および閉状態が交互に切り替わるように、シャッター眼鏡６を駆動する。言い換えると、左眼用映像の表示期間には、左眼用レンズ６Ｌを開状態、右眼用レンズ６Ｒを閉状態とする制御を行う一方、右眼用映像の表示期間には、右眼用レンズ６Ｒを開状態、左眼用レンズ６Ｌを閉状態とする制御を行う。これにより、１フレーム期間を２分割して右眼用映像と左眼用映像とを交互に切り替えて表示する時分割駆動方式において、右眼用映像を右眼、左眼用映像を左眼でそれぞれ観察することが可能となる。
【００２７】
また、シャッター制御部４２は、１フレーム期間における所定の開閉デューティ（Ｄｕｔｙ）で、左眼用レンズ６Ｌおよび右眼用レンズ６Ｒの開閉動作を制御する。望ましくは、左眼用レンズ６Ｌおよび右眼用レンズ６Ｒの各開口Duty（開期間）が、１フレームを２分割した期間のうちの１０％〜５０％程度となるように制御する。上記のようなシャッター眼鏡６の入射面および出射面にも、上記液晶表示パネル２と同様、入射面および出射面にそれぞれ、以下に説明する直線偏光板が貼り合わせられている。
【００２８】
（偏光板の構成）
図２は、液晶表示パネル２および液晶シャッター６０のそれぞれの入射面および出射面に設けられた偏光板と、その光軸（透過軸）を模式的に表したものである。但し、図２において各偏光板上に示した矢印（Ｃ１〜Ｃ４）は、各偏光板の透過軸方向を表している。このように、液晶表示パネル２の入射側（バックライト３の側）にはパネル入射側偏光板２Ａ、出射側（表示側）にはパネル出射側偏光板２Ｂがそれぞれ設けられている。シャッター眼鏡６では、液晶シャッター６０の入射側（液晶表示パネル２の側）にシャッター入射側偏光板６０Ａ、出射側（観察者側）にはシャッター出射側偏光板６０Ｂがそれぞれ設けられている。
【００２９】
液晶表示パネル２では、例えば、パネル入射側偏光板２Ａおよびパネル出射側偏光板２Ｂが、それぞれの透過軸Ｃ１，Ｃ２が互いに直交するように（クロスニコルの状態で）配置されている。シャッター眼鏡６においても同様で、例えばシャッター入射側偏光板６０Ａおよびシャッター出射側偏光板６０Ｂが、それぞれの透過軸Ｃ３，Ｃ４が互いに直交するように配置されている。
【００３０】
これらのうち、パネル出射側偏光板２Ｂの透過軸Ｃ２とシャッター入射側偏光板６０Ａの透過軸Ｃ３とは一致している。但し、これは、液晶表示装置１をＸＺ平面上に傾かずに配置され、シャッター眼鏡６がその入射面を液晶表示パネル２側に向けて正立している状態を基準とする。具体的には、ディスプレイ画面の水平方向をＸ、垂直方向をＹとした場合、ディスプレイ画面に正対して、観察者がＹ方向に沿って頭を傾けずに直立あるいは着座している状態で、シャッター眼鏡６を着用した場合を想定している。
【００３１】
本実施の形態では、そのシャッター入射側偏光板６０Ａが、シャッター出射側偏光板６０Ｂよりも低コントラスト（低偏光度）となるように設定されている。具体的には、シャッター入射側偏光板６０Ａの偏光度は、望ましくは０．２００以上０．９００以下であり、より望ましくは０．３７５または０．５２４である。換言すると、シャッター入射側偏光板６０Ａのコントラストが、望ましくは１．５〜１９であり、より望ましくは２．２または３．２である。但し、偏光板のコントラストを、（透過軸の透過率）／（吸収軸の透過率）とする。シャッター出射側偏光板６０Ｂの偏光度は、例えば０．９９８程度以上（コントラストは１０００程度以上）となっている。尚、本明細書において、これらの偏光度およびコントラストにおける上記数値および数値範囲は、後述の実施例に基づいて得られた概算値である。本実施の形態（本発明）は、偏光度およびコントラストの値が、上記と完全同一の場合に限らず、多少の誤差を有する場合にも適用可能である。一方、パネル入射側偏光板２Ａおよびパネル出射側偏光板２Ｂにおけるコントラストは例えば１０００以上であり、具体的には５０００程度である。
【００３２】
［映像表示システムの作用・効果］
（立体映像表示動作）
図３は、映像表示システムにおける立体映像表動作の概要を表したものである。この映像表示システムでは、図１に示したような液晶表示装置１において、映像信号処理部４１が入力映像信号Ｄinに基づき右眼用映像信号ＤＲおよび左眼用映像信号ＤＬの出力順序の制御を行い、映像信号Ｄ１を生成する。この映像信号Ｄ１は、タイミング制御部４３を介してデータドライバ５１へ供給される。一方で、シャッター制御部４２は、そのような右眼用映像信号ＤＲおよび左眼用映像信号ＤＬの出力タイミングに対応する制御信号ＣＴＬを、シャッター眼鏡６へ向けて出力する。データドライバ５１は、映像信号Ｄ１に対してＤ／Ａ変換を施し、アナログ信号である映像電圧を生成する。そして、ゲートドライバ５２およびデータドライバ５１から出力される各画素２０への駆動電圧によって表示駆動動作がなされる。
【００３３】
このようにして映像電圧が供給された画素２０では、バックライト３からの照明光が液晶表示パネル２において変調され、表示光として出射される。これにより、入力映像信号Ｄinに基づく映像表示が、液晶表示装置１において行われる。詳細には、１フレーム期間に、左眼用映像信号ＤＬに基づく左眼用映像と、右眼用映像信号ＤＲに基づく右眼用映像とが交互に表示され、時分割駆動による表示駆動動作がなされる。例えば左眼用レンズ６Ｌおよび右眼用レンズ６Ｒの駆動周波数はそれぞれ６０Ｈｚであり、この場合、左右合わせて１２０Ｈｚで高速時分割駆動がなされることになる。
【００３４】
具体的には、シャッター制御部４２は、左眼用映像の表示期間には、制御信号ＣＴＬにより、シャッター眼鏡６において、左眼用レンズ６Ｌを開状態（表示光ＬＬの透過状態）とし、右眼用レンズ６Ｒを閉状態（表示光ＬＬの遮断状態）とする。一方、図３（Ｂ）に示したように、右眼用映像の表示期間には、制御信号ＣＴＬにより、左眼用レンズ６Ｌを閉状態（表示光ＬＲの遮断状態）とし、右眼用レンズ６Ｒを開状態（表示光ＬＲの透過状態）とする。そして、このような表示映像の切り替えに同期した左右のシャッターの開閉動作が、時分割で交互に繰り返される。
【００３５】
観察者７は、上記のように時分割駆動されるシャッター眼鏡６をかけた状態で、液晶表示装置１のディスプレイ画面を観察することにより、左眼用映像を左眼７Ｌ、右眼用映像を右眼７Ｒでそれぞれ認識することになる。これらの左眼用映像と右眼用映像との間には視差があるため、観察者７には、その視差量に応じた奥行きのある立体的な映像として認識される。
【００３６】
（シャッター入射側偏光板６０Ｂによる作用）
ところで、シャッター眼鏡６において直線偏光を利用する場合、ある特定の室内照明の下で映像観察を行うと、観察映像にフリッカが発生することがある。具体的には、インバータを使用していない低周波駆動の蛍光灯等の下でシャッター眼鏡６を使用するような場合が挙げられる。この場合、室内照明の駆動周波数とシャッター眼鏡６の駆動周波数が近くなることが多く、それぞれの周波数の差分に相当するビートが発生し、顕著なフリッカが視認されることになる。その一例を図４（Ａ）〜（Ｃ）に示す。図４（Ａ）に示したように、シャッター眼鏡６の駆動周波数が４８Ｈｚ、室内照明の駆動周波数が６０Ｈｚ（光出力は１２０Ｈｚ）である場合、干渉により２４Ｈｚのフリッカが生じる。また、図４（Ｂ）に示したように、シャッター眼鏡６の駆動周波数が５０Ｈｚ、室内照明の駆動周波数が６０Ｈｚ（光出力は１２０Ｈｚ）である場合には、発生するフリッカの周波数は３０Ｈｚとなる。更に、図４（Ｃ）に示したように、シャッター眼鏡６の駆動周波数が６０Ｈｚ、室内照明の駆動周波数が５０Ｈｚ（光出力は１００Ｈｚ）である場合、４０Ｈｚもの顕著なフリッカが生じてしまう。加えて、上記のようなフリッカとしては、シャッター眼鏡６の駆動周波数およびその高調波と、室内照明の駆動周波数およびその高調波とから、様々な周波数のものが発生し、更にその発生したフリッカの高調波をも関与して多くの周波数のフリッカが観測される。このようなフリッカは、観察者にとって非常に不快であり、疲労の原因となる。
【００３７】
尚、上記のようなフリッカの発生は、シャッター眼鏡６における入射側の偏光板（図２におけるシャッター入射側偏光板６０Ａ）を完全に除去することにより、防ぐことが可能である。また、このように入射側の偏光板を除去した場合であっても、液晶表示装置１における出射側の偏光板（パネル出射側偏光板２Ｂ）の透過軸と、シャッター眼鏡６における出射側の偏光板（シャッター出射側偏光板６０Ｂ）の透過軸とが一致するようにすれば、映像の見え方に影響が生じることはない。
【００３８】
ところが、シャッター入射側偏光板６０Ｂを完全に除去してしまうと、観察者が少しでも頭を傾けた場合、液晶表示装置１における出射側の偏光板とシャッター眼鏡６における出射側の偏光板との透過軸がずれてしまう。この結果、シャッター眼鏡６自体のコントラストがその最大値からずれ（コントラストが低下し）易くなり、左眼用映像と右眼用映像との間で顕著なクロストークを発生する。クロストークが生じると、例えば映像が２重になって見える等、上記フリッカと同様、観察者に不快感や疲労感を与えてしまう。
【００３９】
そこで、本実施の形態では、シャッター眼鏡６において、シャッター入射側偏光板６０ＡのコントラストＣＲ（偏光度）をシャッター出射側偏光板６０ＢのコントラストＣＲ（偏光度）よりも低くなるように設定している。例えば、シャッター入射側偏光板６０Ａにおける偏光度を０．２００以上０．９００以下とし、シャッター出射側偏光板６０Ｂにおける偏光度を０．９９８以上としている。このように設定することで、以下に説明するような関係にあるフリッカとクロストークの発生具合を、観察者に不快感を与えない程度にそれぞれ最適化することができる。
【００４０】
即ち、Ｔａを偏光板の透過軸における透過率（０≦Ｔａ≦１００）、Ｔｂを偏光板の吸収軸の透過率（０≦Ｔｂ≦１００）として、ＴＰ＝（Ｔａ2＋Ｔｂ2）／２、ＴＣ＝Ｔａ×Ｔｂと定義すると、偏光板のコントラストＣＲと偏光度Ｖとの間には、以下の式（１），（２）のような関係が成り立つ。尚、ここでは、偏光板のコントラストＣＲを、透過軸の透過率Ｔａと吸収軸の透過率Ｔｂとの比とする。
ＣＲ＝Ｔａ／Ｔｂ＝（１＋Ｖ）／（１−Ｖ）    ………（１）
Ｖ＝√（（ＴＰ−ＴＣ）／（ＴＰ＋ＴＣ））＝（ＣＲ−１）／（ＣＲ＋１）………（２）
【００４１】
シャッター入射側偏光板６０ＡのコントラストＣＲが低くなると、シャッター眼鏡６自体のコントラストが低くなるので、室内照明光に対するコントラストが相対的に低下して、フリッカが目立ちにくくなる。一方、表示映像におけるコントラストは、パネル出射側偏光板２Ｂとシャッター出射側偏光板６０Ｂとによって支配されることになるので、シャッター入射側偏光板６０Ａのコントラストを低く設定したとしても、表示映像では高コントラストが維持される。但し、この場合であっても、観察者が頭を傾けるなどして、パネル出射側偏光板２Ｂにおける透過軸Ｃ２と、シャッター入射側偏光板６０Ａの透過軸Ｃ３とがずれた場合、シャッター入射側偏光板６０Ａが低コントラストであると、やはりクロストークを生じることもある。即ち、シャッター入射側偏光板６０ＡのコントラストＣＲが低い程、フリッカは小さくなるが、クロストークは大きくなるという傾向がある。つまり、フリッカの発生とクロストークの発生とは、シャッター入射側偏光板６０Ａのコントラストに対してトレードオフの関係にある。
【００４２】
従って、望ましくは、シャッター入射側偏光板６０ＡのコントラストＣＲを、フリッカおよびクロストークの両方を許容し得る実効的な値に設定する。具体的には、シャッター入射側偏光板６０ＡのコントラストＣＲが、２．２あるいは３．２（偏光度が０．３７５または０．５２４）であることにより、観察者がフリッカおよびクロストークの両者を許容可能となるため、観察時において不快感や疲労感を受けにくくなる。
【００４３】
以上のように、本実施の形態では、シャッター眼鏡６において、シャッター入射側偏光板６０ＡのコントラストＣＲがシャッター出射側偏光板６０ＢのコントラストＣＲよりも低くなるようにしたので、観察映像においてフリッカの発生を抑制しつつクロストークを低減することが可能となる。またこれにより、観察者に不快感や疲労感を与えない高品質な映像表示（例えば立体映像表示）を実現することができる。
【００４４】
（実施例）
以下、本実施の形態における具体的な実施例（実施例１〜３）について説明する。実施例１〜３として、それぞれコントラストＣＲの異なるシャッター眼鏡６を作製し、作製したシャッター眼鏡６におけるフリッカおよびクロストークの発生具合について、定量的に調べると共に、人間の眼による主観評価を行った。シャッター入射側偏光板６０ＡにおけるコントラストＣＲについては、実施例１では９．８、実施例２では３．２、実施例３では２．２とした。但し、バックライト３としては、ＬＥＤを用い、これを明滅駆動させた（点灯期間のDuty：２５％）。シャッター眼鏡６におけるシャッター開口Dutyについては、特に記載する場合を除いて５０％とした。また、これらの実施例１〜３の比較例１として、高コントラスト（ＣＲ＝１０００）の偏光板をシャッター入射側に設けた場合、比較例２としてシャッター入射側に偏光板を設けなかった場合についても、実施例１〜３と同様の測定を行った。
【００４５】
図５は、シャッター開口Dutyを１０％〜５０％とした各場合において、照明光の明暗比（％）を、実施例１，２および比較例１，２について示したものである。図６は、図５におけるシャッター開口Dutyが１２．５％の場合のシャッター入射側偏光板６０ＡのコントラストＣＲと、照明光の明暗比との関係を示したものである。尚、照明光の明暗比とは、室内照明光等の光強度における最大値をＶ1、最小値をＶ2とした場合に、以下の式（３）によって表されるものとする。このように、フリッカは、シャッター入射側偏光板６０ＡのコントラストＣＲが高い比較例１においては顕著に発生し、コントラストＣＲが低くなる程、小さくなっていることがわかる（比較例１＞実施例１＞実施例２＞比較例２）。
［（Ｖ1−Ｖ2）／｛（Ｖ1＋Ｖ2）／２｝］×１００      ………（３）
【００４６】
図７（Ａ），（Ｂ）は、シャッター眼鏡６の正立時および回転時の各場合におけるクロストークとシャッター眼鏡６自体のコントラスト（眼鏡コントラスト）を、実施例２，３および比較例１〜３について示したものである。また、正立時は、水平方向Ｘに沿って左眼用レンズ６Ｌおよび右眼用レンズ６Ｒが配置されている状態、回転時は、その正立時から２０°回転した状態で左眼用レンズ６Ｌおよび右眼用レンズ６Ｒが配置されている状態を指すものとする（図８）。また、比較例３としては、光源としてＬＥＤではなくＣＣＦＬを用い、これを常時点灯（点灯期間のDuty：１００％）させた場合の測定結果を示している。尚、比較例３では、シャッター眼鏡の入射側偏光板には高コントラスト（ＣＲ＝１０００）のものを用いた。
【００４７】
図７（Ａ）に示したように、正立時においては、パネル出射側偏光板２Ｂとシャッター入射側偏光板６０Ａとの各透過軸が一致しているため、シャッター入射側偏光板６０ＡのコントラストＣＲの違いにより眼鏡コントラストに大きな差は生じない。その結果、クロストークにはほとんど差が生じないことがわかる。一方、図７（Ｂ）に示したように、回転時においては、眼鏡コントラストがコントラストＣＲの低くなる程低下し、これに伴ってクロストークが増加していることがわかる。
【００４８】
図９は、上記のような回転時（２０°）におけるシャッター入射側偏光板６０ＡのコントラストＣＲとクロストークとの関係を表したものである。このように、クロストークは、シャッター入射側偏光板６０ＡのコントラストＣＲが低くなる程、大きくなっていることがわかる（比較例２＞実施例３＞実施例２＞実施例１＞比較例１）。
【００４９】
これらの測定結果から、フリッカとクロストークとは上述したようなトレードオフの関係にあることがわかる。そこで、シャッター入射側偏光板６０ＡのコントラストＣＲにおける実効的な解を求めるべく、以下のような主観評価実験を行った。即ち、実施例１〜３および比較例２の各場合について、３名の観察者が実際にシャッター眼鏡６を着用して、表示映像を観察し、発生したフリッカおよびクロストークのそれぞれについて許容できるか否かについて評価を行った。但し、３名全員が許容できると判定した場合を「○」、３名のうち１名でも許容できないと判定した場合を「△」、３名全員が許容できないと判定した場合を「×」として示す。尚、「−」の表記は、評価を行っていないことを示す。また、表示映像（ビデオ）の駆動周波数を、４８Ｈｚ，５０Ｈｚ，６０Ｈｚ、室内照明（ＬＥＤ）の駆動周波数を１００Ｈｚ，１２０Ｈｚ、シャッター開口Dutyを１２．５％，３７％，５０％とした各場合について判定を行った。図１０（Ａ）がフリッカについての評価結果、図１０（Ｂ）がクロストークについての評価結果をそれぞれ示すものである。
【００５０】
このような主観評価実験の結果、フリッカの発生とクロストークの発生との両方において、１名以上が許容できるという判定（即ち、「○」または「△」の判定）となったのは、実施例２，３、特にシャッター開口Dutyを５０％とした場合であることがわかった。従って、シャッター入射側偏光板６０ＡのコントラストＣＲを、特に３．２および２．２とすると共に、シャッター開口Dutyを５０％とした場合に、フリッカおよびクロストークの発生具合が最適化され、これらの両方を実効的に低減することが可能となる。
【００５１】
＜変形例＞
図１１は、上記実施の形態の変形例に係る映像表示システム（マルチビューシステム）における映像表示動作の概要を模式的に表したものである。本変形例では、これまで説明した立体映像表示動作の代わりに、複数人の観察者（ここでは、２人の観察者）に対し、互いに異なる複数（ここでは、２つ）の映像を個別に表示することを可能とする映像表示動作を行う。尚、上記実施の形態と同様の構成要素については同一の符号を付し、適宜説明を省略する。
【００５２】
本変形例のマルチビューシステムでは、１人目の観察者に対応する第１の映像信号に基づく第１の映像と、２人目の観察者に対応する第２の映像信号に基づく第２の映像とが、時分割で交互に表示される。即ち、これまでは、シャッター眼鏡６における左眼用レンズ６Ｌおよび右眼用レンズ６Ｒごとにそれぞれ対応する左眼用映像および右眼用映像が表示されるのに対し、本変形例では、観察者（ユーザ）毎にそれぞれ対応する複数の映像が表示される。
【００５３】
具体的には、図１１（Ａ）に示したように、第１の映像Ｖ１の表示期間においては、制御信号ＣＴＬ１により、観察者７１が用いるシャッター眼鏡６１において、右眼用レンズ６Ｒおよび左眼用レンズ６Ｌの双方が開状態となっている。また、制御信号ＣＴＬ２により、観察者７２が用いるシャッター眼鏡６２において、右眼用レンズ６Ｒおよび左眼用レンズ６Ｌの双方が閉状態となっている。即ち、観察者７１のシャッター眼鏡６１では、第１の映像Ｖ１に基づく表示光ＬＶ１を透過させ、観察者７２のシャッター眼鏡６２では、この表示光ＬＶ１を遮断させる。
【００５４】
一方、図１１（Ｂ）に示したように、第２の映像Ｖ２の表示期間においては、制御信号ＣＴＬ２により、観察者７２が用いるシャッター眼鏡６２において、右眼用レンズ６Ｒおよび左眼用レンズ６Ｌの双方が開状態となっている。また、制御信号ＣＴＬ１により、観察者７１が用いるシャッター眼鏡６１において、右眼用レンズ６Ｒおよび左眼用レンズ６Ｌの双方が閉状態となっている。即ち、観察者７２のシャッター眼鏡６２では、第２の映像Ｖ２に基づく表示光ＬＶ２を透過させ、観察者７１のシャッター眼鏡６１では、この表示光ＬＶ２を遮断させる。
【００５５】
そして、このような状態が時分割で交互に繰り返されることにより、２人の観察者７１，７２は、互いに異なる映像（映像Ｖ１，Ｖ２）を個別に観察することが可能となる。
【００５６】
本変形例のような映像表示システムにおいても、シャッター眼鏡６において、上述したようなシャッター入射側偏光板６０Ａを低コントラストとすることにより、上記実施の形態と同様の効果を得ることができる。
【００５７】
尚、本変形例では、２人の観察者において互いに異なる２つの映像を個別に観察する場合について説明したが、３人以上の観察者において互いに異なる３つ以上の映像を個別に観察する場合にも、本発明を適用することが可能である。また、映像の数とシャッター眼鏡の数は必ずしも同数となっていなくともよい。すなわち、ある１つの映像に対応して開閉動作を行うシャッター眼鏡を複数個用意し、１つの映像を複数人の観察者で観察するようにしてもよい。
【００５８】
以上、実施の形態および変形例を挙げて本発明を説明したが、本発明はこれらの実施の形態等に限定されず、種々の変形が可能である。例えば、シャッター眼鏡６において、シャッター入射側偏光板とシャッター出射側偏光板との間に、例えば１／４λ板等の位相差板を挿設してもよい。ここで、本発明のように、シャッター入射側偏光板６０Ａの偏光度を低い値に設定する場合には、画面全体が着色することがある。これは、観察者が頭を傾けるなどしてパネル出射側偏光板における透過軸とシャッター入射側偏光板における透過軸にずれが発生する場合で、シャッター眼鏡６に入射した光と液晶との間で複屈折が起こるためである。上記のように、位相差板を配置することにより、このような透過軸のずれによる着色を低減することができる。
【００５９】
また、上記実施の形態等では、フリッカの程度は室内照明等に依存するので、フリッカとクロストークを使用環境に合わせて最適化できるように、シャッター入射側偏光板６０Ａのコントラストやシャッター開口Dutyを機械的あるいは電気的に調節する機構を設けてもよい。また、このような調節は観察者が手動で行ってもよいし、センサー等により自動的に行うようにしてもよい。
【符号の説明】
【００６０】
１…液晶表示装置、２…液晶表示パネル、２０…画素、３…バックライト、４１…映像信号処理部、４２…シャッター制御部、４３…タイミング制御部、５０…バックライト駆動部、５１…データドライバ、５２…ゲートドライバ、６，６１，６２…シャッター眼鏡、６Ｌ…左眼用レンズ、６Ｒ…右眼用レンズ、７，７１，７２…観察者、７Ｌ…左眼、７Ｒ…右眼、Ｄin（ＤＬ，ＤＲ），Ｄ１…映像信号、ＣＴＬ，ＣＴＬ１，ＣＴＬ２…制御信号、Ｌ…左眼用映像、Ｒ…右眼用映像、Ｖ１，Ｖ２…映像、ＬＬ，ＬＲ，ＬＶ１，ＬＶ２…表示光。
【図１】
2011146797.tif 000003
【図２】
2011146797.tif 000004
【図３】
2011146797.tif 000005
【図４】
2011146797.tif 000006
【図５】
2011146797.tif 000007
【図６】
2011146797.tif 000008
【図７】
2011146797.tif 000009
【図８】
2011146797.tif 000010
【図９】
2011146797.tif 000011
【図１０】
2011146797.tif 000012
【図１１】
2011146797.tif 000013